(57)【要約】【課題】ランプの光源発光角度が大きい光源構造を提供する。【解決手段】発光角度が大きい光源構造は、ランプホルダ１１と、少なくとも１つの受け体１２と、複数のＬＥＤ発光素子１３とを備える。ランプホルダ１１は、両端に設けられた２つの電極端子１１１と、少なくとも１つの結合面１１２とを有する。受け体１２は、受け部１２１及び結合部１２２を有するとともにランプホルダ１１が結合される。受け部１２１には、弧面が形成される。結合部１２２は、ランプホルダ１１の結合面１１２に結合される。ＬＥＤ発光素子１３は、受け体１２の受け部１２１表面にそれぞれ配置され、ランプホルダ１１の電極端子１１１とそれぞれ電気的に接続される。受け体１２の受け部１２１の幅は、ランプホルダ１１の幅より大きい。受け部１２１の両端がランプホルダ１１の外側へ延びる。【選択図】図３
0003184801.tif 000002
【実用新案登録請求の範囲】
【請求項１】
ランプホルダと、少なくとも１つの受け体と、複数のＬＥＤ発光素子とを備えた発光角度が大きい光源構造であって、
ランプホルダは、両端に設けられた２つの電極端子と、少なくとも１つの結合面とを有し、
受け体は、受け部及び結合部を有するとともにランプホルダが結合され、受け部には、弧面が形成され、結合部は、ランプホルダの結合面に結合され、
ＬＥＤ発光素子は、受け体の受け部表面にそれぞれ配置され、ランプホルダの電極端子とそれぞれ電気的に接続されることを特徴とする発光角度が大きい光源構造。
【請求項２】
受け体の受け部の幅は、ランプホルダの幅より大きく、
受け部の両端がランプホルダの外側へ延びることを特徴とする請求項１に記載の発光角度が大きい光源構造。
【請求項３】
受け体の受け部の幅は、ランプホルダの幅より小さいことを特徴とする請求項１に記載の発光角度が大きい光源構造。
【請求項４】
受け体とランプホルダとの間に形成され、一方の表面にランプホルダの結合面が結合され、他方の表面に受け体の結合部が結合されたパッドをさらに備えることを特徴とする請求項１に記載の発光角度が大きい光源構造。
【請求項５】
ＬＥＤ発光素子は、縦向き且つ等間隔で３列に並べて受け体の受け部表面に配置されることを特徴とする請求項１に記載の発光角度が大きい光源構造。
【請求項６】
ＬＥＤ発光素子は、２列に並べて受け体の受け部の両端に配置されることを特徴とする請求項１に記載の発光角度が大きい光源構造。
【請求項７】
ランプホルダは、金属材料からなることを特徴とする請求項１に記載の発光角度が大きい光源構造。
【請求項８】
受け体は弧面を有する回路基板であることを特徴とする請求項１に記載の発光角度が大きい光源構造。
【考案の詳細な説明】
【技術分野】
【０００１】
本考案は、発光角度が大きい光源構造に関するものであり、さらに詳しくは、ランプの光源発光角度、すなわち、光源照射範囲が大きい光源構造に関するものである。
【背景技術】
【０００２】
図１及び図２に示すように、従来の蛍光灯は、帯状ＬＥＤランプ又は直管型ＬＥＤ蛍光ランプにより代替されてきている。例えば、ＬＥＤ照明管Ａは、主にランプホルダＡ１を含む。ランプホルダＡ１上には回路基板Ａ２が設けられ、回路基板Ａ２上には、複数のＬＥＤ発光素子Ａ３が設けられている。ランプホルダＡ１は、Ｔ８又はＴ５の規格を満たすタイプであり、電極端子Ａ１１が両端にそれぞれ設けられている。このように、ユーザは、ＬＥＤ照明管Ａを従来の蛍光灯ランプで使用されるランプホルダへ直接取り付け、消費電力が少ないＬＥＤ発光素子Ａ３の特性を利用し、エネルギの節減及び二酸化炭素の排出量の削減を達成することができ、従来のＬＥＤ照明管Ａはエネルギの節減及び二酸化炭素の排出量の削減を達成することができる。
【０００３】
しかし、ＬＥＤ発光素子Ａ３は、光源照射角度（範囲）が制限され、従来のＬＥＤ照明管Ａは、平面回路基板Ａ２を基材として使用した後、ＬＥＤ発光素子Ａ３を平面回路基板Ａ２上へ半田付けしたものであり、ＬＥＤ発光素子Ａ３の発光角度が一般に最大１２０度（θ≦±６０度）しかないため、従来のＬＥＤ照明管Ａ（又は帯状ＬＥＤランプ）を含む製品も１２０度の発光照射角度しか得ることができなかった。そのため、３６０度の発光照射角度を有する従来の蛍光灯ランプと比べて劣っていた。さらに従来のＬＥＤ照明管Ａは、頂部に照射できない死角が発生し、暗い部分が現れることがある。このように従来のＬＥＤ照明管Ａは、頂部に光源反射が補助照明として使用されない場合、輝度が低すぎる虞があった。
【考案の概要】
【考案が解決しようとする課題】
【０００４】
従って、本考案の課題は、光源構造の光源の発光照射角度を効果的に広げ、ランプホルダ頂部に生じる暗い箇所の存在により光源照明全体の輝度の低下を防止することが可能な発光角度が大きい光源構造を提供することにある。
【課題を解決するための手段】
【０００５】
そこで、本考案者は、上記の本考案の課題を解決するため、鋭意検討を重ねた結果、光源構造のランプホルダに結合する受け体の受け部を上向きに突出した弧面に形成することにより、広角特性が得られ、複数のＬＥＤ発光素子の設置角度を拡大することができる点に着目し、かかる知見に基いて本考案に想到した。
【０００６】
かくして、本考案によれば、ランプホルダと、少なくとも１つの受け体と、複数のＬＥＤ発光素子とを備えた発光角度が大きい光源構造であって、ランプホルダは、両端に設けられた２つの電極端子と、少なくとも１つの結合面とを有し、受け体は、受け部及び結合部を有するとともにランプホルダが結合され、受け部には、弧面が形成され、結合部は、ランプホルダの結合面に結合され、ＬＥＤ発光素子は、受け体の受け部表面にそれぞれ配置され、ランプホルダの電極端子とそれぞれ電気的に接続されることを特徴とする発光角度が大きい光源構造が提供される。
【０００７】
受け体の受け部の幅は、ランプホルダの幅より大きく、受け部の両端がランプホルダの外側へ延びることが好ましい。
受け体の受け部の幅は、ランプホルダの幅より小さいことが好ましい。
【０００８】
受け体とランプホルダとの間に形成され、一方の表面にランプホルダの結合面が結合され、他方の表面に受け体の結合部が結合されたパッドをさらに備えることが好ましい。
ＬＥＤ発光素子は、縦向き且つ等間隔で３列に並べて受け体の受け部表面に配置されることが好ましい。
【０００９】
ＬＥＤ発光素子は、２列に並べて受け体の受け部の両端に配置されることが好ましい。
ランプホルダは、金属材料からなることが好ましい。
受け体は弧面を有する回路基板であることが好ましい。尚、本考案の実用新案登録請求範囲及び明細書において、「発光角度」とは、光源の発光照射角度であり、光源の照射範囲を意味するものである。従って、「発光角度が大きい」とは、光源の照射範囲、すなわち、光源の照射範囲が広範囲であることを意味する。
【考案の効果】
【００１０】
本考案は、上記の通りの構成からなり、光源の発光照射角度、すなわち、光源照射範囲を増大させることができ、ランプホルダ上部に生じる暗い部分を解消することができるので、照明全体の輝度の低下を防止することができる。
【図面の簡単な説明】
【００１１】
【図１】図１は、従来の光源構造を示す斜視図である。
【図２】図２は、従来の光源構造を示す断面図である。
【図３】図３は、本考案の第１実施形態に係る発光角度が大きい光源構造を示す斜視図である。
【図４】図４は、本考案の第１実施形態に係る発光角度が大きい光源構造を示す断面図である。
【図５】図５は、本考案の第２実施形態に係る発光角度が大きい光源構造を示す断面図である。
【図６】図６は、本考案の第３実施形態に係る発光角度が大きい光源構造を示す斜視図である。
【図７】図７は、本考案の第４実施形態に係る発光角度が大きい光源構造を示す斜視図である。
【図８】図８は、本考案の第４実施形態に係る発光角度が大きい光源構造を示す分解斜視図である。
【図９】図９は、本考案の第４実施形態に係る発光角度が大きい光源構造を示す断面図である。
【図１０】図１０は、本考案の第５実施形態に係る発光角度が大きい光源構造を示す斜視図である。
【図１１】図１１は、本考案の第５実施形態に係る発光角度が大きい光源構造を示す断面図である。
【考案を実施するための形態】
【００１２】
以下、本考案の実施形態について図面に基づいて説明する。なお、これによって本考案が限定されるものではない。
【００１３】
まず、図３及び図４を参照する。図３及び図４に示すように、本考案の一実施形態に係る発光角度が大きい光源構造１は、少なくともランプホルダ１１と、少なくとも１つの受け体１２と、複数のＬＥＤ発光素子１３とから構成される。
【００１４】
ランプホルダ１１は、両端に設けられた２つの電極端子１１１と、少なくとも１つの結合面１１２とを有する。ランプホルダ１１は、金属材料（例えば、アルミニウム、アルミニウム合金など）からなる。
【００１５】
受け体１２には、受け部１２１及び結合部１２２を有し、且つランプホルダ１１が結合されている。結合部１２２は、受け部１２１の底部から外方へ延びて突出する。受け部１２１の頂部は、上向きに突出し弧面に形成され、受け部１２１の表面が弧面に形成される。結合部１２２は、ランプホルダ１１の結合面１１２と結合する。本実施形態では結合部１２２は、接着方式又は嵌設方式によりランプホルダ１１の結合面１１２と結合され、受け体１２は弧面を有する回路基板でもよい。
【００１６】
複数のＬＥＤ発光素子１３は、受け体１２の受け部１２１表面へそれぞれ配置され、ランプホルダ１１の電極端子１１１とそれぞれ電気的に接続される。本実施形態のＬＥＤ発光素子１３は、縦向き且つ等間隔に３列に並べて受け体１２の受け部１２１表面に配置（半田付け）される。
【００１７】
ランプホルダ１１は、従来の直管型ＬＥＤ蛍光ランプの規格（例えば、Ｔ８、Ｔ５又はその他の規格）を満たし、本実施形態の光源構造１のランプホルダ１１を一般の蛍光ランプのランプホルダへ結合し、ランプホルダ１１の両端に設けた２つの電極端子１１１が蛍光ランプのランプホルダに形成された導電挿入孔に接続され、これにより外部電力が電極端子１１１を介して複数のＬＥＤ発光素子１３へ送られる。
【００１８】
このように、本実施形態の光源構造１は、受け体１２の受け部１２１が上向きに突出された弧面に形成され、広角特性を有するため、複数のＬＥＤ発光素子１３の設置角度が拡大し、異なる角度で設置されたＬＥＤ発光素子１３の照射により、光源構造１の発光照射角度（即ち、光源照射範囲）を効果的に広げることができるので、ランプホルダ１１頂部に暗い箇所が生じて光源照明全体の輝度が下がることを防ぐことができる。
【００１９】
ここで、受け体１２の受け部１２１の幅は、ランプホルダ１１の幅より大きく、受け部１２１の両端がランプホルダ１１の外部へ延びる（図５参照）。これら複数のＬＥＤ発光素子１３は、受け体１２の受け部１２１表面にそれぞれ配置され、光源構造１全体の光源の発光照射角度（即ち、光源照射範囲）を増大させることができる。また、受け体１２の受け部１２１の幅をランプホルダ１１の幅より小さくし、受け部１２１の湾曲弧度を大きくしてもよい（図６参照）。これら複数のＬＥＤ発光素子１３は、受け体１２の受け部１２１表面へそれぞれ設置し、光源構造１の光源の発光照射角度（即ち、光源照射範囲）を高めてもよい。このように受け体１２の弧形曲面は、ランプホルダ１１（放熱体）を相対的に大きくし、または、受け体１２の弧形曲面の高さを高くすることにより、ＬＥＤ発光素子１３の発光角度を１８０°より大きくしてもよい。
【００２０】
図７〜図９を参照する。図７〜図９に示すように、本考案の一実施形態に係る発光角度が大きい光源構造１は、パッド１４をさらに含んでもよい。パッド１４は、受け体１２とランプホルダ１１との間に形成される。パッド１４は、一方の表面にランプホルダ１１の結合面１１２が結合され、他方の表面に受け体１２の結合部１２２が結合される。パッド１４の形成により、受け体１２の高さが増大するため、受け部１２１の両端に配置されたＬＥＤ発光素子１３の光源がランプホルダ１１により遮られることを防ぎ、光源構造１の光源の発光照射角度（即ち、光源照射範囲）をさらに広げることができる。
【００２１】
続いて図１０及び図１１を参照する。図１０及び図１１に示すように、ＬＥＤ発光素子１３は、縦向きで２列に並べる方式により受け部１２１の両端に配置され、受け体１２の受け部１２１が上向きに突出されて弧面に形成されて広角特性を得て、左右異なる角度の複数のＬＥＤ発光素子１３を照射し、光源構造１全体の発光照射角度（即ち、光源照射範囲）を効果的に広げ、ランプホルダ１１の頂部に暗い部分が生じて光源照明全体の輝度が下がることを防ぎ、ＬＥＤ発光素子１３の使用数を減らすことができるため、エネルギの節減及び二酸化炭素の排出量の削減を達成することができる。
【００２２】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  光源構造
１１  ランプホルダ
１２  受け体
１３  ＬＥＤ発光素子
１４  パッド
１１１  電極端子
１１２  結合面
１２１  受け部
１２２  結合部
Ａ  ＬＥＤ照明管
Ａ１  ランプホルダ
Ａ２  回路基板
Ａ３  ＬＥＤ発光素子
Ａ１１  電極端子
【図１】
0003184801.tif 000003
【図２】
0003184801.tif 000004
【図３】
0003184801.tif 000005
【図４】
0003184801.tif 000006
【図５】
0003184801.tif 000007
【図６】
0003184801.tif 000008
【図７】
0003184801.tif 000009
【図８】
0003184801.tif 000010
【図９】
0003184801.tif 000011
【図１０】
0003184801.tif 000012
【図１１】
0003184801.tif 000013